(57)【特許請求の範囲】
【請求項１】
カップ１の上に蓋４を載せて供給されてくる嵌合容器７のカップ１の両側の鍔部２を下から受ける受用ベルトコンベア３と、蓋４の両側の鍔部５を上から押さえる押さえ用ベルトコンベア６とを備えて、蓋４とカップ１とを上記受用ベルトコンベア３と押さえ用ベルトコンベア６とで上下から挟んで互いに嵌合するように構成したことを特徴とする嵌合容器の自動蓋締装置。
【発明の詳細な説明】
【０００１】
【産業上の利用分野】
本発明は、食品加工、その他の分野で使用されている嵌合容器の自動蓋締装置に関するものである。
【０００２】
【従来の技術】
従来の上記作業は、コンベアで送られてきたカップを一時停止させた後、自動的に取り出された蓋を上から金型で押さえ、下から上昇してくる金型でカップを受けて、上下金型で挟んで蓋を締めていた。
【０００３】
【発明が解決しょうとする課題】
しかしながら、従来の上記手段は寸法が異なる容器に変わると金型を交換しなければならず、手間を要して作業効率が悪く、また金型の費用がかさむので設備費が高くつくという問題があった。また、蓋を締める際に、カップを一時停止させるため、処理速度が低下するという問題があった。
【０００４】
本発明の目的は、上記のような従来の問題点を解決するためになされたもので、構造が簡単で、金型を使用しないことにより設備費を安くして、金型の取り替え時間と手間を省いて作業性を高め、またカップを一時停止させることなく、連続して蓋を締めるようにすることによって処理速度を速くし、しかも取扱い安全な嵌合容器の自動蓋締装置を提供しようとするものである
【課題を解決するための手段】
上記目的を達成するために、本発明の嵌合容器の自動蓋締装置はカップの上に蓋を載せて供給されてくる嵌合容器のカップの両側の鍔部を下から受ける受用ベルトコンベアと、蓋の両側の鍔部を上から押さえる押さえ用ベルトコンベアとを備えて、蓋とカップとを上記受用ベルトコンベアと押さえ用ベルトコンベアとで上下から挟んで互いに嵌合するように構成する。
【０００５】
上記受用ベルトコンベアおよび押さえ用ベルトコンベアは、丸ベルトや平ベルトあるいはタイミングベルトなどを使用する。
【０００６】
嵌合容器の幅は容器の種類によって異なるから、ハンドルを操作して押さえる間隔を自在に変更できるように構成しておくのが好ましい。しかも、嵌合容器の高さも変化するから、搬送面からの高さを調整できるように構成しておくのが好ましい。
【０００７】
【作用】
その作用を説明すると、まず、自動または手で原料が充填されたカップがコンベアで搬送されてくる。このカップの上に蓋を手で置いたり、あるいは自動機で取り出して載せたりする。すると、カップはその上に蓋を載せたままそれらの鍔を受用ベルトコンベアと押さえ用ベルトコンベアの上下隙間に進入して上下から挟んで搬送される。この間に互いに嵌合されて排出される。ベルトコンベア等の搬送機を接続しておけば、これに載って包装機その他の後処理機に送られる。
【０００８】
【実施例】
本発明の実施例を例示図にもとづいて説明すると、図に示すように、カップ１の両側の鍔部２を下から受ける受用ベルトコンベア３と、蓋４の両側の鍔部５を上から押さえる押さえ用ベルトコンベア６とを備える。いずれも容器７の搬送方向の両側に主動ローラ８、９と従動ローラ１０、１１とを１対配置し、これらに丸ベルト１２を掛ける。受用ベルトコンベア３および押さえ用ベルトコンベア６の主動ローラ８、９を主動軸１３、１４で支持し、他方、従動ローラ１０、１１を従動軸１５、１６で支持する。さらに、上記主動軸１３、１４に互いに噛み合うギアー１７、１８を取り付けて互いに逆転させると、丸ベルト１２は同方向に移動する。そして、受用ベルトコンベア３の主動軸１３にタイミングプーリ１９を取り付け、これとモータ２０の出力軸２１に取り付けたタイミングプーリ２２との間にタイミングベルト２３を掛けて互いに連結する。
【０００９】
上記主動軸１３、１４および従動軸１５、１６はいずれも側板２４に取り付けた軸受２５で支持されている。受用ベルトコンベア３と押さえ用ベルトコンベア６の主動軸１３、１４どうしの上下間隔および従動軸１５、１６どうしの上下間隔は、通過する容器７が当たらないように容器７の高さ以上の間隔おいて取り付ける。
【００１０】
また、上記丸ベルト１２は主動ローラと従動ローラとの搬送間でたわまないように上下からガイド２６で支持されている。この上下の丸ベルト１２の隙間は嵌合容器７が互いに嵌合したときの鍔２、５の高さに相当する隙間とする。なお、丸ベルト１２のテンションを保持させるためにテンションローラ２７を取り付けておくのが好ましい。
【００１１】
上記受用ベルトコンベア３および押さえ用ベルトコンベア６の丸ベルト１２は平ベルトやタイミングベルトその他の適宜のものを使用することができる。
【００１２】
また、必要に応じて受用ベルトコンベア３の下に搬送用ベルトコンベア２８を取り付けてもよい。この搬送用ベルトコンベア２８も上記受用ベルトコンベア３と同一構成とし、主動ローラ２９と従動ローラ３０とからなり、その主動軸３１に取り付けたタイミングプーリ３２と受用ベルトコンベア３の主動軸１３に取り付けたタイミングプーリ３３との間にタイミングベルト３４を掛けて同一駆動をかけておく。
【００１３】
上記モータ２０の出力軸２１からの連結方法は上記の他に任意に選択できる。嵌合容器７の幅は容器の種類によって異なるから、ハンドル３５を操作して押さえる間隔を自在に変更できるように構成しておくのが好ましい。そのために、図４に示すように、両側板２４の両側に固定側板３６を設け、上記側板２４にスライドベアリング３７を取り付けて、これにスライドシャフト３８を挿入して支持する。このスライドシャフト３８の両端を上記固定側板３６にボルト３９で固定する。さらに、両側板２４に右ねじナット４０と左ねじナット４１を取り付け、これに右ねじと左ねじを備えた幅調整軸４２を通して、その一端を固定側板３６に軸受４３で支持し、他端を固定側板３６に貫通させて、その端部にハンドル３５を取り付ける。しかも、嵌合容器７の高さも変化するから、搬送面からの高さを調整できるように構成しておくのが好ましい。
【００１４】
なお、容器７の種類によっては、受用ベルトコンベア３の両側にある丸ベルト１２の間隔よりも押さえ用ベルトコンベア６の両側にある丸ベルト１２の間隔を狭くして容器７の押さえの位置をずらして構成することにより、より確実に蓋４を締めることが出来る。
【００１５】
【発明の効果】
本発明は上記のように構成されているので、以下に記載されるような効果を奏する。
【００１６】
まず、構造が簡単で、金型もいらないから設備費が安くなる。
【００１７】
また、従来のように、金型を取り替える必要がないから、作業性が高い。
【００１８】
さらにまた、カップを一時停止させる必要がなく、連続して蓋締を行う事ができるから、処理速度が速い。
【００１９】
さらにまた、従来のように金型を上下からコンベアではさんで蓋を締めるだけなので、作業中に手を入れて挟んでも怪我をすることがなく安全である。
【００２０】
【図面の簡単な説明】
【図１】本発明の縦断面図である。
【図２】図１の正面図である。
【図３】図１の平面図である。
【図４】押さえベルトコンベアの詳細要部断面図である。
【符号の説明】
１  カップ
２  鍔部
３  受用ベルトコンベア
４  蓋
５  鍔部
６  押さえ用ベルトコンベア
７  容器
【図１】
0003743939.tif 000002
【図２】
0003743939.tif 000003
【図３】
0003743939.tif 000004
【図４】
0003743939.tif 000005